(57)【特許請求の範囲】
【請求項１】
家具等におけるガイド溝に沿って摺動案内される引戸の先端部下面に設けた取付用凹孔内に、側面視ほぼ逆Ｖ字状で、両下端に引戸の摺動方向と直交する外側向きに延設されるとともに、その下面がスライド面として機能する鍔片を形成した弾性変形可能なスライダーを嵌合して取付け、かつガイド溝内における引戸の先端が停止する位置の近傍に、前記スライダーを変形させ得る幅狭部と、それに連続してスライダーの前記変形を解除し得る幅広部とを有する保持部を設けたことを特徴とする家具等における引戸装置。
【請求項２】
ガイド溝内に取付けたストッパー部材により、ガイド溝内に前記幅狭部と保持部とを形成したことを特徴とする請求項１記載の家具等における引戸装置。
【発明の詳細な説明】
【０００１】
【発明の属する技術分野】
本発明は、家具等における引戸装置に関し、書庫や保管庫など、各種家具の前面を開閉する引戸やシャッター扉、あるいは間仕切り用の蛇腹式扉など、ガイド溝に沿って摺動案内される各種の引戸の閉止を円滑にする装置に関する。
【０００２】
【従来の技術】
一般に、２枚の引戸の先端面を互いに衝合させて閉扉する場合、たとえば特開平３−２３９９２号公報に記載されるように、２枚の引戸の閉位置を規制するためのストッパー金具が用いられるが、閉扉の際に、引戸に設けた当接片がストッパー金具に衝突して、衝撃音を発生したり、引戸が閉位置から開放側にリバウンドしたりする不都合が生じ易い。
【０００３】
また、引戸の先端面が、家具等の開口部の端面に当接して閉扉する形式の場合には、通常、ストッパー金具は用いられず、閉扉の際に、同様に衝撃音やリバウンドを生じ易い。
【０００４】
このための対策として、特開平８−１８９２６６号公報には、シャッター扉の先端面下端に、ガイド溝内に摺動可能に遊嵌する摺動鋲を突設し、ガイド溝内には、該ガイド溝の相対向する内壁間に嵌合する障壁部と、該障壁部からガイド溝内に沿って延びる弾接片とを有するストッパー部材を固設し、シャッター扉が閉位置に到達したときに、摺動鋲を弾接片の側面に弾接させて、弾接片とガイド溝の一方の内壁とで、摺動鋲を挾持するようにしたシャッター扉装置が開示されている。
【０００５】
【発明が解決しようとする課題】
前記シャッター扉装置は、衝撃音やリバウンドの発生防止に対して効果を奏するが、ストッパー部材に弾接片を設けることが必要であり、この弾接片の弾性機能を付与するために、弾接片の厚さを薄くすることが必要である。しかも、この弾接片は、ガイド溝内に露出しているため、いたずら等により破損するおそれがある。
【０００６】
本発明は、引戸が閉位置に到達したときの衝撃音やリバウンドの発生を防止し、引戸の開閉を円滑に行うことができるとともに、破損し易い部材が露出しないようにした、家具等における引戸装置を提供することを目的とする。
【０００７】
【課題を解決するための手段】
本発明によると、上記課題は、次のようにして解決される。
(１)家具等におけるガイド溝に沿って摺動案内される引戸の先端部下面に設けた取付用凹孔内に、側面視ほぼ逆Ｖ字状で、両下端に引戸の摺動方向と直交する外側向きに延設されるとともに、その下面がスライド面として機能する鍔片を形成した弾性変形可能なスライダーを取付け、かつガイド溝内における引戸の先端が停止する位置の近傍に、前記スライダーを変形させ得る幅狭部と、それに連続してスライダーの前記変形を解除し得る幅広部とを有する保持部を設ける。
【０００８】
(２) 上記(１)項において、ガイド溝内に取付けたストッパー部材により、ガイド溝内に前記幅狭部と保持部とを形成する。
【０００９】
【発明の実施の形態】
図１は、本発明の引戸装置を家具に適用した場合の実施形態を示す斜視図、図２は、図１におけるストッパー部材(１)の斜視図、図３は、図１におけるスライダー(２)の斜視図である。
【００１０】
家具本体の前面下部に設けたガイド溝(４)に沿って摺動案内される左右の引戸(３)(左方のものは図示を省略してある)の下面には、複数の滑子(５)が取付けられており、この滑子(５)が、ガイド溝(４)内を摺動することにより、引戸(３)は、ガイド溝(４)に沿って案内される。
【００１１】
引戸(３)の先端下面には、弾性変形可能なスライダー(２)が取付けられている。
スライダー(２)は、側面視ほぼ逆Ｖ字状の本体(2a)の前後両下端にスライド面としての鍔片(2b)(2b)を連設してなり、逆Ｖ字状の本体(2a)の開口幅(Ｌ)が拡大または縮小する方向に弾性変形可能である。このスライダー(２)は、一般に合成樹脂または金属で成形される。
【００１２】
図４は、図１における１点鎖線円(Ａ)内の拡大斜視図である。
スライダー(２)は、引戸(３)の先端下面に設けた取付用凹孔(６)内に、本体(2a)を嵌合して取付けられている。
【００１３】
スライダー(２)の前後下端の鍔片(2b)(2b)は、図４に示すように、引戸(３)の摺動方向と直交する外側向きに延設されており、引戸取付用凹孔(６)の外側下方に位置し、その下面は、スライド面として機能するようになっている。
【００１４】
引戸(３)を閉めたときに、ガイド溝(４)内における引戸(３)の先端が停止する位置の近傍に、ストッパー部材(１)を設けてある。
【００１５】
ストッパー部材(１)は、平面視ほぼ前向きＴ字状をなし、図２に示すように、本体部(1a)の後端から両側に直角に延びる薄肉片部(1b)(1b)と、各薄肉片部(1b)の先端に設けられた厚肉端部(1c)とからなっている。
【００１６】
本体部(1a)の前後方向の長さは、ガイド溝(４)の幅とほぼ等しく、ストッパー部材(１)をガイド溝(４)の後壁(4a)に当接させ、本体部(1a)に穿設した取付孔(1d)にビス(７)を挿通して固定したとき、本体部(1a)の前端がガイド溝(４)の前壁(4b)に当接するようになっている。
【００１７】
図５は、本発明の引戸装置におけるスライダー(２)とストッパー部材(１)の相互の作用を説明するための平面図で、引戸(３)を省略して示してある。
【００１８】
図５(ａ)に示すように、ガイド溝(４)内に固定されたストッパー部材(１)の厚肉端部(1c)とガイド溝(４)の前壁(4a)の両者によって、ガイド溝(４)の前後幅が狭められた幅狭部(Ｍ)が形成され、これに連続して、ストッパー部材(１)の薄肉片部(1b)とガイド溝(４)の前壁(4b)の両者によって、前記幅狭部(Ｍ)よりも広い幅広部(Ｎ)が形成されている。
【００１９】
引戸(３)を閉じるべく、引戸(３)を図５(ａ)に矢印で示す方向にガイド溝(４)に沿って摺動させ、引戸(３)の先端下面に取付けたスライダー(２)が、ストッパー部材(１)に近づくと、図５(ｂ)に示すように、スライダー(２)は、ストッパー部材(１)の厚肉端部(1c)に当接する。
【００２０】
なお、厚肉端部(1c)とガイド溝(４)の前壁(4a)との間における幅狭部(Ｍ)の寸法は、スライダー(２)の前後の鍔片(2b)(2a)の端部間寸法(Ｗ)よりも小さく定めてある。
【００２１】
従って、図５(ｃ)に示すように、スライダー(２)は、前記幅狭部(Ｍ)を通過する際には、弾性変形して両鍔片(2b)(2a)の端部間寸法を小とし、前記幅狭部(Ｍ)の寸法とほぼ等しい寸法(Ｗ1)となって、幅狭部(Ｍ)を通過する。
【００２２】
スライダー(２)を前記弾性変形させるためには、相応の負荷を要し、この負荷の反作用によって、スライダー(２)を介して、引戸(３)にストッパー作用が働く。
このストッパー作用によって、引戸(３)を閉じる際の引戸(３)の移動速度は弱められる。
【００２３】
次いで、スライダー(２)は、図５(ｄ)に示すように、前記幅広部(Ｎ)に嵌入する。
【００２４】
幅広部(Ｎ)の寸法は、自由状態におけるスライダー(２)の鍔片(2b)(2a)の端部間寸法(Ｗ)とほぼ同一か、これよりやや小としてある。
そのため、スライダー(２)は、前記弾性変形がほぼ復元した状態で、幅広部(Ｎ)内で移動を拘束され、引戸(３)は閉じた状態に保持される。
【００２５】
スライダー(２)が、幅狭部(Ｍ)を通過する際に、スライダー(２)を弾性変形させるために要する負荷の大きさは、スライダー(２)の頂部の肉厚形状、並びに使用する材質を選定することによって、適宜に設計することができる。
【００２６】
通常は、前記の負荷の大きさを、スライダー(２)が前記幅狭部(Ｍ)を通過して、幅広部(Ｎ)内に到達した時点で、自然停止する程度の大きさに設計することが望ましい。
【００２７】
また、スライダー(２)が、幅広部(Ｎ)内に到達した以後においても、ある程度のストッパー機能を作用させるために、幅広部(Ｎ)の寸法を、スライダー(２)が弾性変形しない状態の両鍔片(2a)(2a)の端部間寸法(Ｗ)より、やや小さ目の寸法(Ｗ2)とすることも推奨される。
【００２８】
引戸(３)の慣性が大きく、万一、スライダー(２)が幅広部(Ｎ)内で自然停止しない場合には、ストッパー部材(１)の本体部(1a)の側面がストッパーとして作用し、引戸(３)を停止させる。
【００２９】
この際、スライダー(２)がストッパー部材(１)の本体部(1a)の側面に衝突した反動、あるいはストッパー部材(１)の両側に位置する引戸(３)の先端同士が衝突した反動によって、スライダー(２)が、前記幅狭部(Ｍ)を超えてリバウンドしようとするが、通常、スライダー(２)には、幅狭部(Ｍ)を超えるほどの弾性変形を与えるような負荷は作用しないため、リバウンドは防止される。
【００３０】
一方、再び引戸(３)を開く方向に移動させると、スライダー(２)は弾性変形して、前記幅狭部(Ｍ)を通過し、容易に開扉することができる。
【００３１】
図示を省略した左方の引戸に関しても、前記同様の構成および作用を有するスライダー(２)が設けられていることは言うまでもない。
【００３２】
各引戸(３)の先端面に、衝撃緩和部材(８)を付設することによって、対向する引戸(３)の先端面が衝合したときの衝撃音を低減させることができるとともに、先端面同士の衝合時の反動を小さくすることができる。
【００３３】
図６は、ストッパー部材(１)の他の実施形態を示し、このストッパー部材(１)は、引戸の先端が家具の開口部の一端に当接して閉扉する形式の場合に用いられるものであり、図２に示したものにおいて、一方の薄肉片部(16)と厚肉端部(1c)を切除したものに相当する。
【００３４】
上述した実施形態におけるスライダー(２)の保持部は、ストッパー部材(１)の薄肉片部(1b)と本体部(1a)のそれぞれの前面、およびガイド溝(４)の一方の壁面とで構成されている。
【００３５】
しかし、扉の先端が家具の開口部の端面等に当接して閉扉する形式の場合には、ストッパー部材(１)の本体部(1a)は必ずしも必要でなく、薄肉片部(1b)の前面とガイド溝(４)の一方の壁面とで、スライダー(２)の保持部を形成してもよい。
【００３６】
【発明の効果】
本発明によると、次のような効果を奏することができる。
（１）請求項１記載の発明によれば、引戸が閉位置に到達したときの衝撃音やリバウンドの発生を防止し、引戸の開閉を円滑を行うことができる。
また、弾性変形などの可動する破損し易い薄肉部材が、外部に露出していないために、いたずら等により、破損されるおそれもない。
【００３７】
（２）請求項２記載の発明によれば、一次的なストッパー作用およびリバウンドを防止する幅狭部と、引戸の閉扉時のスライダーの保持部を構成する幅広部とを容易に形成することができる。
【図面の簡単な説明】
【図１】  本発明の引戸装置の実施形態を示す斜視図である。
【図２】  図１におけるストッパー部材の斜視図である。
【図３】  図１におけるスライダーの斜視図である。
【図４】  図１における１点鎖線円(Ａ)内の拡大斜視図である。
【図５】  本発明の引戸装置におけるスライダーとストッパー部材の相互の作用を説明するための平面図である。
【図６】  本発明におけるストッパー部材の他の実施形態を示す斜視図である。
【符号の説明】
(１)ストッパー部材
(1a)本体部
(1b)薄肉片部
(1c)厚肉端部
(1d)取付孔
(２)スライダー
(2a)本体
(2b)鍔片
(３)引戸
(４)ガイド溝
(4a)後壁
(4b)前壁
(５)滑子
(６)取付用凹孔
(７)ビス
(８)衝撃緩和部材
(Ｍ)幅狭部
(Ｎ)幅広部
【図１】
0004202568.tif 000002
【図２】
0004202568.tif 000003
【図３】
0004202568.tif 000004
【図４】
0004202568.tif 000005
【図５】
0004202568.tif 000006
【図６】
0004202568.tif 000007